(57)【要約】【課題】灰皿の使用を許容する場合はもとりより使用を禁止する場合であっても、遊技者等に不自然な感じを与えることがなく、生産性を低下させることのない遊技機を提供する。【解決手段】灰皿支持機構に対して灰皿１３を着脱可能とし、灰皿支持機構は、取付ベース部材１５と支持腕部材２１とからなり、下皿１２の側面に灰皿１３の一側を支持する係止部４３を設け、下皿１２から灰皿１３を収納し得る間隔で離隔した位置に支持腕部材２１を設け、灰皿１３を取り外して灰皿１３を使用禁止とする第１状態と、支持腕部材２１に灰皿１３を取り付けることで灰皿１３の使用を許容する第２状態とに変換可能であり、支持腕部材２１は、係止部４３と雌ネジ孔５２とを設け、支持腕部材２１を第１状態に変換して収納凹部内に収納した状態で、取付ベース部材１５の裏側からロックネジ５３を雌ネジ孔５２に螺合して支持腕部材２１を第１状態でロック可能とした。【選択図】図５
2006312109.tif 000002
【特許請求の範囲】
【請求項１】
前面枠に灰皿ユニットと発射操作ユニットとを、下皿を挟んで配設し、前記灰皿ユニットを、灰皿と、この灰皿を支持する灰皿支持機構とにより構成した遊技機において、
前記灰皿支持機構に対して前記灰皿を着脱可能とし、
前記灰皿支持機構は、前面に収納凹部を形成した取付ベース部材と、前記収納凹部内に、基端を軸着した支持腕部材とからなり、前記収納凹部を前記支持腕部材の収納部とし、
前記下皿の側面に灰皿の一側を支持する係止部を設け、前記下皿から灰皿を収納し得る間隔で離隔した位置に前記支持腕部材を設け、
前記灰皿を取り外し、この取り外し状態で前記支持腕部材を回動して折り畳んで収納凹部内に収納することで灰皿を使用禁止とする第１状態と、支持腕部材を回動して先端を前方に向けて突出し、この突出状態で支持腕部材に灰皿を取り付けることで灰皿の使用を許容する第２状態とに変換可能であり、
前記支持腕部材は、先端近傍側面に前記第２状態で灰皿を使用可能な状態で係止する係止部を備えるとともに、前記第１状態に変換すると背面となる面に雌ネジ孔を設け、
前記支持腕部材を第１状態に変換して収納凹部内に収納した状態で、取付ベース部材の裏側からロックネジを前記雌ネジ孔に螺合して支持腕部材を第１状態でロック可能としたことを特徴とする遊技機。
【発明の詳細な説明】
【技術分野】
【０００１】
本発明は、灰皿を備えたパチンコ機などの遊技機に関するものである。
【背景技術】
【０００２】
従来の一般的な遊技機、例えばパチンコ機は、前面枠の表面下部を装飾するプラスチック製の装飾部材を設け、この装飾部材の中央に下皿を一体的に設け、この下皿の左側に灰皿を配設してある。そして、この灰皿の左右側面に支軸を突設し、この支軸を装飾部材の軸受部に嵌合することにより灰皿を支持するとともに、前後方向に回転可能とし、これにより灰皿を取り外すことなく容易に吸殻を回収できるように構成されている（例えば、特許文献１参照）。
【特許文献１】特開平８−１３１６３５号公報
【発明の開示】
【発明が解決しようとする課題】
【０００３】
ところが、近年、パチンコ機を設置する島の球箱載置棚内に吸殻回収機構を組み込み、各パチンコ機に対応して吸殻投入口を開設し、この吸殻投入口内に吸殻を投入するようにした設備が普及しつつある。したがって、この様な吸殻回収機構を備えた島においては、パチンコ機ごとに設けられている灰皿が余分であり、却って灰皿が使用されると、この灰皿の清掃作業を行なわなくてはならないので、遊技店にとっては迷惑である。このため、この様な島のパチンコ機は灰皿の上面に蓋を被せて使用禁止にしていた。なお、灰皿に被せる蓋は、遊技店が自作する場合が殆どであった。
また、禁煙ゾーンを設ける遊技店も増えており、この禁煙ゾーン内に設置するパチンコ機も灰皿を使用禁止にしていた。
【０００４】
しかしながら、パチンコ機は灰皿を含めた全体の形状、色彩をデザインしたものであり、デザインの一部を構成している灰皿の上面を塞いで使用禁止にしたり、あるいは灰皿を取り外してしまうと、パチンコ機全体のデザインが不自然なものになってしまい、楽しい雰囲気を損なってしまう。
また、同じ機種で、灰皿を備えたパチンコ機と、灰皿のないパチンコ機との両方を製造することは、部品が異なるので製造工程が煩雑になり、生産性が低下してしまう。
【０００５】
本発明は上記事情に鑑み提案されたもので、その目的は、灰皿の使用を許容する場合はもとりより使用を禁止する場合であっても、遊技者等に不自然な感じを与えることがなく、生産性を低下させることのない遊技機を提供しようとするものである。
【課題を解決するための手段】
【０００６】
本発明は、上記目的を達成するために提案されたものであり、請求項１に記載のものは、前面枠に灰皿ユニットと発射操作ユニットとを、下皿を挟んで配設し、前記灰皿ユニットを、灰皿と、この灰皿を支持する灰皿支持機構とにより構成した遊技機において、
前記灰皿支持機構に対して前記灰皿を着脱可能とし、
前記灰皿支持機構は、前面に収納凹部を形成した取付ベース部材と、前記収納凹部内に、基端を軸着した支持腕部材とからなり、前記収納凹部を前記支持腕部材の収納部とし、
前記下皿の側面に灰皿の一側を支持する係止部を設け、前記下皿から灰皿を収納し得る間隔で離隔した位置に前記支持腕部材を設け、
前記灰皿を取り外し、この取り外し状態で前記支持腕部材を回動して折り畳んで収納凹部内に収納することで灰皿を使用禁止とする第１状態と、支持腕部材を回動して先端を前方に向けて突出し、この突出状態で支持腕部材に灰皿を取り付けることで灰皿の使用を許容する第２状態とに変換可能であり、
前記支持腕部材は、先端近傍側面に前記第２状態で灰皿を使用可能な状態で係止する係止部を備えるとともに、前記第１状態に変換すると背面となる面に雌ネジ孔を設け、
前記支持腕部材を第１状態に変換して収納凹部内に収納した状態で、取付ベース部材の裏側からロックネジを前記雌ネジ孔に螺合して支持腕部材を第１状態でロック可能としたことを特徴とする遊技機である。
【発明の効果】
【０００７】
本発明によれば、以下のような優れた効果を奏する。
すなわち、灰皿支持機構に対して灰皿を着脱可能とし、灰皿支持機構は、前面に収納凹部を形成した取付ベース部材と、収納凹部内に、基端を軸着した支持腕部材とからなり、収納凹部を支持腕部材の収納部とし、下皿の側面に灰皿の一側を支持する係止部を設け、下皿から灰皿を収納し得る間隔で離隔した位置に支持腕部材を設け、灰皿を取り外し、この取り外し状態で支持腕部材を回動して折り畳んで収納凹部内に収納することで灰皿を使用禁止とする第１状態と、支持腕部材を回動して先端を前方に向けて突出し、この突出状態で支持腕部材に灰皿を取り付けることで灰皿の使用を許容する第２状態とに変換可能であり、支持腕部材は、先端近傍側面に第２状態で灰皿を使用可能な状態で係止する係止部を備えるとともに、第１状態に変換すると背面となる面に雌ネジ孔を設け、支持腕部材を第１状態に変換して収納凹部内に収納した状態で、取付ベース部材の裏側からロックネジを雌ネジ孔に螺合して支持腕部材を第１状態でロック可能としたので、禁煙ゾーン等に設置する場合に、灰皿に蓋をして使用禁止にするなどの細工を施す必要がなく、また、余分な灰皿を取り外すことができるばかりでなく、灰皿支持機構を第１状態に変換して目立たなくすることができる。したがって、遊技機のデザインを損なうことがなく、遊技店の楽しい雰囲気を低下させる虞がない。また、同じ構造で、灰皿を使用禁止にしたり、使用を許容したりすることができるので、組立工場における生産性を低下させることがない。
【０００８】
また、収納凹部内に収納した第１状態における支持腕部材が後方に大きく突出せずに収納でき、また、いたずら等で開かれることを防止することができる。さらに、構成部品点数を減らすことができるので、製造が容易である。加えて、状態を変換する場合の取り扱いも容易である。
【発明を実施するための最良の形態】
【０００９】
以下、本発明の実施の形態を図面に基づいて説明する。
図１は代表的な遊技機であるパチンコ機１の正面図である。このパチンコ機１は、機枠（外枠）の前面に額縁状の前面枠２（内枠）を開閉可能に取り付け、この前面枠２の開口部を後方から塞ぐようにして遊技盤３を装着し、また、前面枠２の開口部には、ガラス枠４と開閉パネル５をそれぞれ開閉可能に取り付け、開閉パネル５の表面には上皿６を設け、前面枠２の下部パネル７に、灰皿ユニット１０と発射操作部ユニット１１とを、下皿１２を挟んで左右対称の位置に配設してある。
【００１０】
そして、灰皿ユニット１０の一部を構成する灰皿１３と発射操作部ユニット１１の一部を構成する操作ハンドル１４とに関し、灰皿１３については略半球形状とすると共に、操作ハンドル１４の頭部、即ち遊技者により把持される部分については略球形状とし、さらに、両者の大きさをほぼ等しく設けてある。
【００１１】
また、下部パネル７に取り付けられる灰皿ユニット１０の取付ベース部材１５と、同じく前面下部パネル７に取り付けられる発射操作部のハンドル取付ベース部材１６とについても、正面側から見て、直径がほぼ等しい略円形状の部材により構成してある。
【００１２】
このため、灰皿ユニット１０と発射操作部ユニット１１とは、遊技者側から見てほぼ同じ外観となり、下皿１２を挟んで左右対称となり、デザイン的にも洗練された印象を遊技者に与えることができる。
【００１３】
灰皿ユニット１０は、灰皿１３と、この灰皿１３を支持する灰皿支持機構１７とから概略構成されており、灰皿１３は灰皿支持機構１７に対して着脱可能に構成されている。そして、本発明における灰皿支持機構１７は、パチンコ機１を禁煙ゾーン等に設置して灰皿１３を使用禁止とする第１状態と、喫煙可能ゾーンに設置して灰皿１３の使用を許容する第２状態とに変換可能であり、この灰皿支持機構１７に、上記第２状態で灰皿１３を使用可能な状態で係止する係止部４３を設けてある。
【００１４】
灰皿支持機構１７は、前面枠２に固定する取付ベース部材１５と、この取付ベース部材１５に形成した左右のアームケース２０内に進退可能に設けた支持腕部材２１から概略構成されている。
【００１５】
まず、取付ベース部材１５について説明する。この取付ベース部材１５は、正面から見ると、円の下端部分を切断した形状であって、外周縁から後方に向けて外周壁部２２を延設した部材であり、前面枠２や下部パネル７に設けた取付空部２３内に嵌合した状態で止着される。そして、この取付ベース部材１５の正面部分の略中央には、略球面状の収納窪部２４を形成し、灰皿１３の一部分を収納できるように構成してある。即ち、灰皿１３の使用状態における後端部、或いは、吸殻を回収する際に灰皿１３を反転させた状態における灰皿１３の前端部を収納可能とする部分である。
【００１６】
この収納窪部２４における表面のほぼ中心部分には、係止突部２５を設けてある。この係止突部２５は、図３に示すように、略三角ブロック状であり、灰皿１３の使用時にあっては灰皿１３の後部に設けた係合溝部２６が上方から当接して灰皿１３の姿勢を安定させる。したがって、この係止突部２５は、灰皿支持機構１７の第２状態で灰皿１３を使用可能な状態で係止する係止部として機能する。なお、係止突部２５は、灰皿１３を取り外した時に目立たないように、緩やかな曲面で構成することが望ましい。
【００１７】
収納窪部２４の左右に、略半円状の開口３０を開設し、この開口３０の縁から後方に向けて断面略半円状のアームケース２０を突設し、各アームケース２０内に支持腕部材２１を進退可能な状態で挿入してある。アームケース２０は、開口３０および中空部の形状と大きさを、支持腕部材２１が円滑に前後方向に摺動し得るように設定した筒状の部材であり、左右で対向している側面には、支持腕部材２１をロックするロック機構としてロックピン３１を中空部内に出没可能な状態で設けてある。なお、このロックピン３１には、先端をアームケース２０内に前進させる方向に付勢する付勢部材を備え、これにより前進状態（ロック状態）を維持するとともに、振動等により抜け落ちないように構成してある。
【００１８】
一方、支持腕部材２１は、上記アームケース２０内に円滑に挿入し得る断面形状と大きさを有する棒状の部材であり、左右で対向する先端近傍側面には、灰皿１３を使用可能な状態で係止する係止部４３（これについては後述する。）を設け、長手方向の途中と後端近傍の側面には、前記ロックピン３１の先端が係合する窪部乃至孔からなるロックピン係合部３２ａ，３２ｂを形成してある。したがって、この支持腕部材２１をアームケース２０の中空部内に挿入し、先端が取付ベース部材１５の表面とほぼ一致するまで十分に後退させると、灰皿１３を使用禁止とする第１状態となり、係止部４３に灰皿１３を取り付けるためにロックピン３１を手で後退させてロック解除した状態で十分な長さまで引き出すと、すなわち前進させると、灰皿１３を取り付けて使用を許容する第２状態に変換することができる。
【００１９】
そして、支持腕部材２１をアームケース２０の中空部内に収納した第１状態でロックピン３１を付勢部材の付勢力あるいは手動で押し込むと、ロックピン３１の先端がロックピン係合部３２ａに係合してロックすることができ、また、支持腕部材２１を十分に引き出した第２状態でロックピン３１を押し込むと、ロックピン３１の先端がロックピン係合部３２ｂに係合してロックすることができる。この様に、支持腕部材２１は、第１状態または第２状態のいずれの状態でも前面枠２の裏側からロックすることができ、いたずら等の行為を排除できる。なお、このロックピン３１は左右いずれのアームケース２０にも備えてある。
【００２０】
なお、支持腕部材２１とアームケース２０は、支持腕部材２１を十分に引き出して第２状態に変換しても、この支持腕部材２１をほぼ水平に保持し得る十分な長さを有する。また、支持腕部材２１とアームケース２０との間の嵌合隙間も、円滑にスライドできるが支持腕部材２１ががたつかない寸法に設定してある。
【００２１】
この様に、本実施形態におけるアームケース２０は、支持腕部材２１をほぼ水平に支持するだけではなく、支持腕部材２１を中空部内に収納するので、この中空部が、第１状態における支持腕部材２１を収納する収納部として機能している。
【００２２】
次に灰皿１３について説明する。なお、この灰皿１３の説明における上下及び前後は、特に記載がない場合には、灰皿１３の使用時における前後を意味する。
図３に示すように、本実施形態における灰皿１３は、通常の使用状態では上面が手前側に少し傾斜する頭截略半球状の部材であり、傾斜面上に円形状の開口を有する凹室形状の吸殻収納部４０を形成し、傾斜面の傾斜下端部分に煙草載せ溝４１を形成して、後部には係合溝部２６を設け、使用時において係止突部２５の上面に上方から当接して、灰皿１３の姿勢が安定するようにしてある。
また、灰皿１３の左右両側部には、それぞれ、支持軸部４２を左右に突設してある。この支持軸部４２は、支持腕部材２１の支持部に嵌合可能な板形状に扁平させた軸部である。
なお、本実施形態においては、この灰皿１３を、取付ベース部材１５と同じ熱硬化性樹脂材料により成型しており、図３に示すように、主に外側の部分を構成する外側部材１３ａと、主に上部や内側の部分を構成する内側部材１３ｂとの２部材から構成してある。
【００２３】
上記した構成からなる灰皿１３を、灰皿支持機構１７の第２状態で使用可能な状態で係止する係止部４３について説明する。
本実施形態における支持腕部材２１の係止部４３は、図２中に拡大して示すように、規制溝部４３ａと、この規制溝部４３ａの傾斜上端に形成した回転許容溝部４３ｂとから構成してある。規制溝部４３ａは、支持腕部材２１が取り付けられた状態において、前方から後方に向かって下り傾斜した溝であり、その溝幅は、灰皿１３の側面に設けた支持軸部４２の厚みよりも僅かに大きく、支持軸部４２の幅よりも狭く設定してある。
【００２４】
このため、この規制溝部４３ａ内では、支持軸部４２は、斜め前後方向への移動は許容されるが回転することができず、図３に示すように、灰皿１３の吸殻収納部４０を斜め前方に向けた使用状態を維持する。一方、回転許容溝部４３ｂは、規制溝部４３ａの前端部分に連続して設けてあり、支持軸部４２の幅よりも僅かに大きい直径を有する略円形状の溝である。このため、この回転許容溝部４３ｂ内では、支持軸部４２は回転することができ、吸殻収納部４０内の吸殻をバケツ等に容易に回収することができる。
【００２５】
上記した構成からなる灰皿ユニット１０を備えたパチンコ機１を、例えば禁煙ゾーンや自動吸殻回収装置を備えた島に設置する場合、パチンコ機１の灰皿１３の使用を禁止する。この様な場合には、灰皿支持機構１７を第１状態に変換して設置する。すなわち、灰皿１３を支持腕部材２１から取り外し、両支持腕部材２１をアームケース２０の中空部内に収納し、支持腕部材２１をロックピン３１でロックした状態で設置する。なお、灰皿１３を取り外すには、左右の支持腕部材２１の先端間隔を拡大して、支持軸部４２を支持腕部材２１の係止部４３から外せばよい。このとき、灰皿１３を手前に引いて支持軸部４２を回転許容溝部４３ｂ内に位置させ、ここで左右の一方に寄せながら取り外すことが望ましい。
【００２６】
この様に、灰皿支持機構１７を第１状態に変換して設置すると、灰皿１３が取り外しされて見えないことは勿論のこと、灰皿１３を支持していた支持腕部材２１も収納されて殆ど見えないので、パチンコ機１のデザインを損ねたり、不自然な印象を与えることがない。したがって、遊技店内の楽しい雰囲気を損ねることがない。
【００２７】
一方、このパチンコ機１を従来通りの島に設置し、灰皿１３の使用を許容する場合には、灰皿支持機構１７を第２状態に変換して設置する。すなわち、両支持腕部材２１を引き出してロックピン３１でロックするとともに、灰皿１３を取り付ける。灰皿１３を取り付けるには、取り外すときと同様に、左右の支持腕部材２１の先端間隔を拡大して、灰皿１３の支持軸部４２を回転許容溝部４３ｂ内または規制溝部４３ａ内に嵌め込めばよい。
【００２８】
この様に、灰皿支持機構１７を第２状態に変換して設置すると、パチンコ機１に灰皿１３が使用可能な状態で取り付けられるので、遊技者は何等の不便を感じることなく喫煙しながら遊技を楽しむことができる。また、この第２状態におけるパチンコ機１は、予定した通りのデザインそのままで使用されるので、見た目にも不自然な感じを与えることはない。
【００２９】
灰皿支持機構１７は、支持腕部材２１を進退可能に構成したものに限定されるものではなく、灰皿１３を使用禁止とする第１状態と使用を許容する第２状態とに変換可能であって、この第２状態で灰皿１３を使用可能な状態で係止する係止部４３を備え、尚且つ灰皿１３が着脱可能であればどのような構成でもよい。例えば、図４に示す他の実施形態は、前面に収納凹部５０を形成した取付ベース部材１５と、この取付ベース部材１５の収納凹部５０内に基端を軸５１により回動可能な状態で取り付けた左右の支持腕部材２１とから概略構成してある。
【００３０】
取付ベース部材１５は、前面枠２あるいは下部パネル７に設けた取付空部２３内に前方から嵌合した状態で止着される前面開放の比較的奥行きの浅い箱状部材であり、前面に形成した収納凹部５０の左右幅を支持腕部材２１の長さの約２倍、奥行きを支持腕部材２１の厚みと同じ寸法に、上下寸法を支持腕部材２１の上下寸法と同様に設定してあり、図中一点鎖線で示すように、折り畳んだ左右の支持腕部材２１を丁度収納できるように構成してある。
【００３１】
この取付ベース部材１５の収納凹部５０内に軸着する支持腕部材２１は、基端を軸５１により取付ベース部材１５の収納凹部５０内の左側と右側にそれぞれ軸着されて先端側をそれぞれ前方に回動可能であり、図４中一点鎖線で示すように、前面枠２に対してほぼ平行になるように折り畳んで第１状態となり、実線で示すように、先端側を前方に向けて突出させた（開いた）状態で第２状態に変換する。そして、支持腕部材２１の先端近傍の側面に、第１実施形態と同様に、規制溝部４３ａと回転許容溝部４３ｂからなる係止部４３を設け、第２状態で係止部４３に灰皿１３の支持軸部４２を係合できるように構成する。また、第１状態に変換した状態で背面となる面に雌ネジ孔５２を設け、第１状態に変換して収納凹部５０内に収納した状態で、取付ベース部材１５の裏側から雄ネジからなるロックネジ５３を収納凹部５０の壁面５４の孔５５内に挿入し、このロックネジ５３を支持腕部材２１の雌ネジ孔５２に螺合して各支持腕部材２１を第１状態でロックする。
この様に構成すると、収納凹部５０内に収納した第１状態における支持腕部材２１がいたずら等で開かれることを防止でき、また、パチンコ機１の振動でがたつくことも防止できる。
【００３２】
そして、支持腕部材２１の軸５１と同軸上にスプリング（図示せず）を設けるなどして、各支持腕部材２１を第１状態に変換する方向の付勢力を付与しておくことが望ましい。
この様に構成すると、第１状態においてはがたつきを防止でき、第２状態においては、灰皿１３を挟持する付勢力として作用するので、不用意な灰皿１３の離脱やがたつきを防止できる。
また、本実施形態では、支持腕部材２１を第２状態に変換すると、収納凹部５０が空くので、この収納凹部５０内に一端（後端部分）を収納した状態で灰皿１３を取り付けることができ、収納凹部５０内に入り込む分だけ大型の灰皿１３を取り付けることができ、同じ大きさの灰皿１３であれば後退した位置に取り付けることができる。要するに、収納凹部５０が、第１状態における支持腕部材２１の収納部として機能する他に、支持腕部材２１が第２状態に変換したときには灰皿の収納部としても機能する。灰皿１３を支持する部材は、前記した棒状の支持腕部材２１に限らず、板状あるいはブロック状でもよい。
【００３３】
前記各実施形態では支持腕部材２１を左右一対設けたが、本発明はこれに限らない。例えば、図５に示すように、下皿１２の側面に、灰皿１３の一側を支持する係止部４３を設け、この下皿１２から所定間隔（灰皿１３を収納し得る空部）離隔した位置に支持腕部材２１を設けてもよい。この場合の支持腕部材２１は、図５に示すように、第２実施形態と同様に、基端の軸５１を中心に回動することにより第１状態に折り畳んだり、先端を前方に向けて第２状態に変換できるように構成してもよいし、或は、第１実施形態と同様に、前後方向に進退可能に構成してもよい。この様に構成すると、前記各実施形態の効果に加えて、構成部品点数を減らすことができるので、製造が容易であり、また、状態を変換する場合の取り扱いも容易である。
【００３４】
なお、前記の各実施形態は、パチンコ機１について説明したが、本発明はこれに限定されるものではなく、灰皿１３と灰皿支持機構１７を備えた遊技機であればどのようなものでもよく、例えばアレンジボール式遊技機、雀球式遊技機、回胴式遊技機などでもよい。
【図面の簡単な説明】
【００３５】
【図１】パチンコ機の正面図である。
【図２】灰皿および灰皿支持機構の分解斜視図である。
【図３】灰皿と灰皿支持機構の断面図である。
【図４】灰皿と灰皿支持機構の他の実施形態の概略説明図である。
【図５】灰皿と灰皿支持機構の他の実施形態の概略説明図である。
【符号の説明】
【００３６】
１  パチンコ機
２  前面枠
３  遊技盤
４  ガラス枠
５  開閉パネル
６  上皿
７  下部パネル
１０  灰皿ユニット
１１  発射操作部ユニット
１２  下皿
１３  灰皿
１４  操作ハンドル
１５  取付ベース部材
１６  ハンドル取付部材
１７  灰皿支持機構
２０  アームケース
２１  支持腕部材
２２  外周壁部
２３  取付空部
２４  収納窪部
２５  係止突部
２６  係合溝部
３０  開口
３１  ロックピン
４０  吸殻収納部
４１  煙草載せ溝
４２  支持軸部
４３  係止部
４３ａ  規制溝部
４３ｂ  回転許容溝部
５０  収納凹部
５１  軸
５２  雌ネジ孔
５３  ロックネジ
５４  壁面
５５  孔
【図１】
2006312109.tif 000003
【図２】
2006312109.tif 000004
【図３】
2006312109.tif 000005
【図４】
2006312109.tif 000006
【図５】
2006312109.tif 000007